【手続補正書】
【提出日】平成19年9月20日(2007.9.20)
【手続補正１】
【補正対象書類名】明細書
【補正対象項目名】特許請求の範囲
【補正方法】変更
【補正の内容】
【特許請求の範囲】
【請求項１】  容器と、
蒸気／液体混合物を支持し、各々が泡立ち領域と、該泡立ち領域の上流側の液体供給領域と、該泡立ち領域の下流側の出口開口部とを有する、垂直方向に離間した、該容器内の複数の水平トレーであって、
前記泡立ち領域が、上昇する蒸気がトレーを通ってトレー上の蒸気／液体混合物内に流れることを可能にする開口部を有し、前記泡立ち領域が、前記液体供給領域から前記出口開口部へ導く中央フロー軸を有する複数の水平トレーと、
前記トレーの前記出口開口部に位置する上部部分を有し、内縁部及び凸状外縁部によって囲まれている断面を有する下部部分を有し、前記トレーからの蒸気／液体混合物を収容し、液体を他のトレーへ運ぶ降水管であって、前記縁部が、前記中央フロー軸に対して横向きであり、降水管の前記断面が、前記中央フロー軸と平行な中心線を有する降水管とを具備し、
前記降水管が、該降水管からの液の流れを制御するための降水管床部を前記断面内に有し、前記降水管床部が、細長い降水管出口スロットを含む降水管出口を形成し、前記降水管出口スロットが、前記降水管断面の外縁部に対して垂直な幅と、前記降水管断面の外縁部と平行な長さとを有し、前記長さが前記幅より長く、前記中心線における前記幅が、前記中心線から離間した位置における幅よりも大きくないことを特徴とする蒸気／液体接触装置。
【請求項２】  前記降水管床部が、湾曲した縁部を有することを特徴とする請求項１に記載の蒸気／液体接触装置。
【請求項３】  前記降水管床部が、線形部から成る縁部を有することを特徴とする請求項１に記載の蒸気／液体接触装置。
【請求項４】  前記降水管床部が、複数の離間した部分を有する凸状外縁部を有することを特徴とする請求項１に記載の蒸気／液体接触装置。
【請求項５】  容器と、
蒸気／液体混合物を支持し、各々が泡立ち領域と、該泡立ち領域の上流側の液体供給領域と、該泡立ち領域の下流側の出口開口部とを有する、垂直方向に離間した、該容器内の複数の水平トレーであって、前記泡立ち領域が、上昇する蒸気がトレーを通ってトレー上の蒸気／液体混合物内に流れることを可能にする開口部を有し、前記泡立ち領域が、前記液体供給領域から前記出口開口部へ導く中央フロー軸を有する複数の水平トレーと、
前記トレーの前記出口開口部に位置する上部部分を有し、内縁部及び凸状外縁部によって囲まれている断面を有する下部部分を有し、前記トレーからの蒸気／液体混合物を収容し、液体を他のトレーへ運ぶ降水管であって、前記縁部が、前記中央フロー軸に対して横向きであり、降水管の前記断面が、前記中央フロー軸と平行な中心線を有する降水管とを具備し、
前記降水管が、該降水管からの液の流れを制御するための降水管床部を前記断面内に有し、前記降水管床部が、細長い降水管出口スロットを含む降水管出口を形成し、前記降水管床部が、前記降水管を形成するように、少なくとも一部が該降水管の断面の外縁部から離間している外縁部を有し、前記降水管の外縁部が凸状であることを特徴とする蒸気／液体接触装置。
【請求項６】  前記降水管出口が、前記中心線よりも、前記中心線から離間した位置での方が広いことを特徴とする請求項１又は５に記載の蒸気／液体接触装置。
【請求項７】  前記降水管出口が、前記中心線において閉塞していることを特徴とする請求項６に記載の蒸気／液体接触装置。
【請求項８】  前記降水管出口が、前記降水管が位置している前記断面の面積の７０％未満の全面積を有することを特徴とする請求項１又は５に記載の蒸気／液体接触装置。
【請求項９】  前記トレーが、前記泡立ち領域内の開口上に位置するディフレクタを有することを特徴とする請求項１又は５に記載の蒸気／液体接触装置。
【請求項１０】  前記ディフレクタが、前記トレーに対して固定されており、かつ前記開口部を通って上昇する蒸気が泡立ち領域内の液体内に側方から導入されるように該トレーに接続された上流端部及び下流端部を有することを特徴とする請求項９に記載の蒸気／液体接触装置。
【請求項１１】  前記トレーが、液体供給領域から泡立ち領域内への、及び泡立ち領域を通る液体の移動を加速するように配置された噴出口を備え、各噴出口が、トレー内に噴出口開口部を有し、かつ前記噴出口開口部を通って前記液体供給領域から離れた方向に上昇する蒸気を偏向させるディフレクタを有することを特徴とする請求項１又は５に記載の蒸気／液体接触装置。
【請求項１２】  前記噴出口が、前記中心フロー軸から側方に離れた領域における間隔密度よりも、該中心フロー軸に近い領域における間隔密度のほうが小さいことを特徴とする請求項１１に記載の蒸気／液体接触装置。
【請求項１３】  前記容器が、前記降水管の断面の凸状外縁部である内部壁面を有することを特徴とする請求項１又は５に記載の蒸気／液体接触装置。
【請求項１４】  前記容器が、前記降水管の断面の凸状外縁部から離間している内部壁面を有することを特徴とする請求項１又は５に記載の蒸気／液体接触装置。
【請求項１５】  前記降水管の断面の凸状外縁部が少なくとも３つの直線部で形成されていることを特徴とする請求項１又は５に記載の蒸気／液体接触装置。
【請求項１６】  前記降水管床部が、一枚の固定プレートと、前記固定プレート上に取付けられた少なくとも一枚の調整プレートとを有し、該調整プレートが前記降水管出口スロットの縁部を画定する縁部を有し、該調整プレートが、該装置の設置時のスロット設定における調整を可能にするように前記固定プレート上で移動可能であることを特徴とする請求項１又は５に記載の蒸気／液体接触装置。
【請求項１７】  前記降水管床部が、複数の調整プレートを有することを特徴とする請求項１６に記載の蒸気／液体接触装置。
【請求項１８】  前記降水管出口スロットが、均一な幅を有することを特徴とする請求項１又は５に記載の蒸気／液体接触装置。
【請求項１９】  前記降水管出口スロットが、前記断面の長さの少なくとも３０％である距離だけ前記降水管の中心線から離間している端部を有することを特徴とする請求項１又は５に記載の蒸気／液体接触装置。
【請求項２０】  前記降水管出口スロットが、前記断面の長さの約４０％未満の幅を有することを特徴とする請求項１又は５に記載の蒸気／液体接触装置。
【請求項２１】  前記液体供給領域は、上昇する蒸気が、トレーの降水管内の流れに影響を及ぼすことを防ぐために、及び降水管内の液体が液体供給領域を通って滲出することを防ぐために実質的に開口部が全く無いことを特徴とする請求項１又は５に記載の蒸気／液体接触装置。
【請求項２２】  前記降水管床部の外縁部が、前記断面の外縁部と平行であることを特徴とする請求項１又は５に記載の蒸気／液体接触装置。
【請求項２３】  前記降水管床部の外縁部が、湾曲していることを特徴とする請求項５に記載の蒸気／液体接触装置。
【請求項２４】  前記降水管床部の外縁部が、線形部から成ることを特徴とする請求項５に記載の蒸気／液体接触装置。
【請求項２５】  前記降水管床部の外縁部が、複数の離間した部分から成ることを特徴とする請求項５に記載の蒸気／液体接触装置。
【請求項２６】  前記降水管床部が、延出して前記降水管の前記突条外縁部に接触する延出部を中央領域に有することを特徴とする請求項１又は５に記載の蒸気／液体接触装置。
【請求項２７】  前記降水管出口が、降水管中心線の片側に位置する第一の出口スロット部分と降水管中心線の他側に位置する第二の出口スロット部分とを含み、前記第一の出口スロット部分と前記第二の出口スロット部分との各々は降水管中心線に近い部位よりも降水管中心線から遠い部位のほうが幅広であることを特徴とする請求項１又は５に記載の蒸気／液体接触装置。
【請求項２８】  前記降水管床部が、固定プレートと前記固定プレートに装着された少なくとも１個の調整プレートとを含み、前記調整プレートは前記降水管出口の縁を画定する縁を有し、且つ前記固定プレート上を移動可能であって装置備え付けの際にスロットの形状を調整することが可能であることを特徴とする請求項１又は５に記載の蒸気／液体接触装置。